(57)【要約】【課題】  次の広告発行に際してはより効率的な広告を行えるように改善することで、効率の良い広告の印刷が実行できる広告管理システム、及び広告管理方法を提供する。【解決手段】  広告管理サーバと、当該広告管理サーバと相互に通信可能に接続され、一店舗に少なくとも一台づつ設置され、一台の精算処理装置を有する複数の店舗情報端末装置とを備え、任意の一店舗が広告の印刷発行を依頼するために送信した広告依頼情報を他店舗へ配信し、他店舗の精算処理装置から発行されるレシートに印刷させる機能を有する広告管理システムであって、店舗情報端末装置は、自店舗から広告の印刷発行を依頼した発行依頼数、及び又は、複数の他の店舗の個々の発行数の実績に応じて、次回の広告の発行を依頼する際の店舗の優先順位を設定し、次回の発行を依頼する店舗や依頼する発行依頼数を決定する。【選択図】      図１１
2007087116.tif 000002
【特許請求の範囲】
【請求項１】
広告管理サーバと、当該広告管理サーバと相互に通信可能に接続され、一店舗に少なくとも一台づつ設置され、少なくとも一台の精算処理装置を有する複数の店舗情報端末装置とを備え、任意の一店舗が広告の印刷発行を依頼するために送信した広告依頼情報を他店舗へ配信し、前記他店舗の前記精算処理装置から発行されるレシートに前記広告依頼情報によって規定される前記広告を印刷させる機能を有する広告管理システムであって、
前記精算処理装置は、少なくとも印刷処理手段と、オペレータのための入力処理装置と、表示処理手段と前記店舗情報端末装置と通信可能な通信処理手段とを有し、
前記広告管理サーバは、前記店舗からの広告印刷データと広告条件データとを含む広告依頼情報を受信する広告受付処理手段と、少なくとも任意の一店舗へ他の前記店舗から印刷発行を依頼した発行依頼数と、当該一店舗から実際に発行出力された発行数とを収集し、管理する管理データベースとを有し、
前記店舗情報端末装置は、他の前記店舗からの前記広告依頼情報を受信し、当該広告依頼情報から前記広告印刷データと前記広告条件データとを抽出し、受信した前記広告依頼情報によって規定される前記広告を自店舗の前記精算処理装置から発行されるレシート上に印刷するために、少なくとも前記広告印刷データを前記精算処理装置の前記印刷処理手段に転送する第１の広告情報処理手段と、自店舗から前記広告依頼情報を送信し、他の前記店舗の前記精算処理装置から発行されるレシート上に印刷する前記広告を規定する広告印刷データと広告条件データとを含む広告依頼情報を生成し、前記広告管理サーバへ送信する第２の広告情報処理手段とを有し、
前記店舗情報端末装置は、前記広告管理サーバから前記広告が実際に印刷発行された前記発行数のデータを取得し、自店舗から前記広告の印刷発行を依頼した発行依頼数、及び又は、複数の他の前記店舗の個々の前記発行数の実績に応じて、次回の広告の印刷発行を依頼する際の前記店舗の優先順位を設定し、次回の前記広告の印刷発行を依頼する前記店舗を決定することを特徴とする広告管理システム。
【請求項２】
前記店舗情報端末装置は、更にそれぞれの前記店舗に対する次回の前記広告の印刷発行を依頼する発行依頼数を前記優先順位に基づいて決定することを特徴とする請求項１に記載の広告管理システム。
【請求項３】
前記広告印刷データは、前記広告の発行依頼主の前記店舗で使用された時、特典を付加するインセンティブ情報を有するクーポン券を印刷するデータであって、当該広告印刷データは、前記発行依頼主の依頼店舗コードと、実際に前記クーポン券の印刷発行をする前記店舗の発行店舗コードとを含むことを特徴とする請求項１に記載の広告管理システム。
【請求項４】
前記精算処理装置は、少なくとも前記発行店舗コードを読み取り可能なコード読み取り処理手段を有し、
前記クーポン券が使用された時、前記発行店舗コードによって、発行店舗毎に使用実績数を算出し、当該使用実績数に応じて前記優先順位を設定し、当該使用実績数に応じた前記優先順位に基づいて、次回の印刷発行を依頼する前記店舗、および前記発行依頼数を決定することを特徴とする請求項３に記載の広告管理システム。
【請求項５】
前記精算処理装置は、少なくとも前記発行店舗コードを読み取り可能なコード読み取り処理手段を有し、
前記クーポン券が使用された時、前記発行店舗コードによって、発行店舗毎に前記使用実績数を算出し、且つ前記発行数の実績に対する当該使用実績数の比である回収率を算出し、当該回収率に応じて前記優先順位を設定し、当該回収率に応じた前記優先順位に基づいて、次回の印刷発行を依頼する店舗、および前記発行依頼数を決定することを特徴とする請求項３に記載の広告管理システム。
【請求項６】
広告管理サーバと、当該広告管理サーバと相互に通信可能に接続され、一店舗に少なくとも一台づつ設置され、少なくとも一台の精算処理装置を有する複数の店舗情報端末装置とを備える広告管理システムにおいて、任意の一店舗が広告の印刷発行を依頼するために送信した広告依頼情報を他店舗へ配信し、前記他店舗の前記精算処理装置から発行されるレシートに前記広告依頼情報によって規定される前記広告を印刷させる広告管理方法であって、
前記店舗の中の一店舗である依頼店舗の前記店舗情報端末装置が、自店舗以外の他の前記店舗の中の発行店舗の前記精算処理装置から発行されるレシート上に印刷する前記広告を規定する広告印刷データと広告条件データとを含む前記広告依頼情報を生成するステップと、
生成した前記広告依頼情報を送信するステップと、
前記広告管理サーバが、前記依頼店舗の前記店舗情報端末装置から送信された前記広告依頼情報を受信するステップと、
前記広告管理サーバが、受信した前記広告依頼情報を前記発行店舗に送信するステップと、
前記発行店舗の前記店舗情報端末装置が、前記広告管理サーバが送信した前記広告依頼情報を受信し、受信した前記広告依頼情報によって規定される前記広告を自店舗の前記精算処理装置から発行されるレシート上に印刷するために、少なくとも前記広告印刷データを前記精算処理装置の印刷処理手段に転送するステップと、
前記広告管理サーバが、少なくとも前記発行店舗へ前記依頼店舗から前記広告の印刷発行を依頼した発行依頼数と、当該発行店舗から前記広告が実際に印刷発行された発行数とを収集し、管理するステップと、
前記店舗情報端末装置が、前記広告管理サーバから、前記発行数のデータを取得し、自店舗から依頼した前記発行依頼数、及び又は、複数の他の前記店舗の個々の前記発行数の実績に応じて、次回の広告の印刷発行を依頼する際の前記店舗それぞれの優先順位を設定し、次回の印刷発行を依頼する前記店舗を決定する依頼店舗決定ステップと、を有し、
前記広告条件データは、前記依頼店舗決定ステップで決定された発行を依頼する前記店舗の情報を含むことを特徴とする広告管理方法。
【請求項７】
前記広告印刷データは、前記依頼店舗で使用された時、特典を付加するインセンティブ情報を有するクーポン券を印刷するデータであって、当該広告印刷データは、前記依頼店舗の依頼店舗コード、前記発行店舗の発行店舗コードとを含むことを特徴とする請求項６に記載の広告管理方法。
【請求項８】
前記依頼店舗において前記クーポン券が使用された時、少なくとも前記発行店舗コードを読み取るステップをさらに有し、
前記依頼店舗決定ステップでは、前記発行店舗コードによって、発行店舗毎に使用実績数を算出し、当該使用実績数に応じて前記優先順位を設定し、当該使用実績数に応じた前記優先順位に基づいて、次回の印刷発行を依頼する前記店舗、および発行依頼数を決定することを特徴とする請求項７に記載の広告管理方法。
【請求項９】
前記依頼店舗において前記クーポン券が使用された時、少なくとも前記発行店舗コードを読み取るステップをさらに有し、
前記依頼店舗決定ステップでは、前記発行店舗コードによって、発行店舗毎に前記発行店舗使用実績数を算出し、且つ前記発行数の実績に対する当該使用実績数の比である回収率を算出し、当該回収率に応じて前記優先順位を設定し、当該回収率に応じた前記優先順位に基づいて、次回の印刷発行を依頼する店舗、および発行依頼数を決定することを特徴とする請求項７に記載の広告管理方法。
【請求項１０】
広告管理サーバと、当該広告管理サーバと相互に通信可能に接続され、一店舗に少なくとも一台づつ設置され、少なくとも一台の精算処理装置を有する複数の店舗情報端末装置とを備える広告管理システムの前記広告管理サーバのコンピュータに、請求項６又は７に記載の前記広告管理サーバが実行する各ステップを実行させるためのプログラム。
【請求項１１】
広告管理サーバと、当該広告管理サーバと相互に通信可能に接続され、一店舗に少なくとも一台づつ設置され、少なくとも一台の精算処理装置を有する複数の店舗情報端末装置とを備える広告管理システムの前記店舗情報端末装置のコンピュータに、請求項６乃至９のいずれか１項に記載の前記店舗情報端末装置が実行する各ステップを実行させるためのプログラム。
【発明の詳細な説明】
【技術分野】
【０００１】
本発明は、店舗の保有するレシートプリンタ等の印刷装置を用いて、互いに他店舗の広告の印刷及び発行を行う広告管理システム、及び広告管理方法に関する。
【背景技術】
【０００２】
従来から、ＰＯＳシステム等の各店舗の精算装置のレシートプリンタにおいて精算情報を印刷してレシートを形成する際に、宣伝広告、イベント情報、クーポン、割引券、金券、その他の顧客誘引を目的とした情報、などの広告を、精算情報に加えて印刷することが行われている。レシートに広告を印刷するシステムとして、特許文献１には、互いに通信可能なＰＯＳシステム等の各店舗の精算装置（店舗端末）を有しており、広告主が依頼した広告の印刷を、広告主の店舗とは異なる店舗の精算装置のレシートプリンタを用いて印刷するようにすることで、広告主が、任意の、かつ複数の店舗において、特定の条件を満たす顧客に渡されるレシートに広告の印刷を行うことができるレシート広告システムが提案されている。
【０００３】
【特許文献１】特開２００２−３７３３７４号公報
【発明の開示】
【発明が解決しようとする課題】
【０００４】
しかしながら、特許文献１に記載されたシステムでは、上記したように、広告主が依頼した内容の広告を顧客に渡すレシートに印刷するだけであって、広告主は依頼された広告の印刷が実行されたか否かを知ることはできなかった。また、当該システムを利用して広告の印刷が実行されたことがどれほど顧客獲得に結びついたかを知ることもできなかった。従って、実行の乏しい広告依頼や、顧客獲得効果の乏しい広告依頼であっても、改善されることなく継続され、必ずしも効率的な広告の発行が行えないという課題があった。
【０００５】
そこで、本発明は、次の広告発行に際してはより効率的な広告を行えるように改善することで、効率の良い広告の発行が実行できる広告管理システム、及び広告管理方法を実現することを目的とする。
【課題を解決するための手段】
【０００６】
本発明による広告管理システムは、広告管理サーバと、当該広告管理サーバと相互に通信可能に接続され、一店舗に少なくとも一台づつ設置され、少なくとも一台の精算処理装置を有する複数の店舗情報端末装置とを備え、任意の一店舗が広告の印刷発行を依頼するために送信した広告依頼情報を他店舗へ配信し、他店舗の精算処理装置から発行されるレシートに印刷させる機能を有する広告管理システムであって、精算処理装置は、少なくとも印刷処理手段と、オペレータのための入力処理装置と、表示処理手段と店舗情報端末装置と通信可能な通信処理手段とを有し、広告管理サーバは、店舗からの広告印刷データと広告条件データとを含む広告依頼情報を受信する広告受付処理手段と、少なくとも任意の一店舗へ他の店舗から印刷発行を依頼した発行依頼数と、当該一店舗から実際に発行出力された発行数とを収集し、管理する管理データベースとを有し、店舗情報端末装置は、他の店舗からの広告依頼情報を受信し、当該広告依頼情報から広告印刷データと広告条件データとを抽出し、受信した広告依頼情報によって規定される広告を自店舗の精算処理装置から発行されるレシート上に印刷するために、少なくとも広告印刷データを精算処理装置の印刷処理手段に転送する第１の広告情報処理手段と、自店舗から広告依頼情報を送信し、他の店舗の精算処理装置から発行されるレシート上に印刷する広告を規定する広告印刷データと広告条件データとを含む広告依頼情報を生成し、広告管理サーバへ送信する第２の広告情報処理手段とを有し、店舗情報端末装置は、広告管理サーバから広告が実際に印刷発行された発行数のデータを取得し、自店舗から広告の印刷発行を依頼した発行依頼数、及び又は、複数の他の店舗の個々の発行数の実績に応じて、次回の広告の印刷発行を依頼する際の店舗の優先順位を設定し、次回の広告の印刷発行を依頼する店舗を決定することを特徴とする。
【０００７】
本発明の広告管理システムによれば、店舗情報端末装置は第２の広告情報処理手段を有し、広告印刷データと広告条件データとを含む広告依頼情報を生成し、広告管理サーバに生成した広告依頼情報を送信する。広告管理サーバは受信した広告依頼情報を他の店舗情報端末装置に送信する。広告依頼情報を受信した店舗情報端末装置は、第１の広告情報処理手段を有し、広告依頼情報に含まれる広告印刷データを精算処理装置の印刷処理手段に転送し、印刷処理手段が広告印刷データによって規定される広告の印刷を実行する。それと共に、広告管理サーバの管理データベースには、各店舗から実際に広告が印刷発行された発行数が収集され管理される。店舗情報端末装置は、広告管理サーバから実際に印刷発行された発行数のデータを取得し、複数の他の店舗の個々の発行数に応じて、次回の広告の発行を依頼する際の店舗の優先順位を設定し、当該優先順位に従って次回の発行を依頼する店舗を決定する。これにより、次回の広告の発行に際しては、広告の印刷発行の実行回数、即ち広告実施の実績に基づいた、広告の依頼先の選定をすることができる。例えば、発行数の多い店舗の優先順位を高くして、発行数の多い店舗に優先的に広告の発行を依頼することで、実行される可能性が高い広告の発行を依頼することができ、効率の良い広告の発行が実行できる。
【０００８】
この場合、店舗情報端末装置は、更にそれぞれの店舗に対する次回の広告の発行を依頼する発行依頼数を優先順位に基づいて決定することが好ましい。
【０００９】
この構成によれば、次回の広告の発行に際しては、広告の印刷発行の実行回数、即ち広告実施の実績に基づいて、広告の発行依頼数を設定することができる。例えば、発行数の多い店舗の優先順位を高くして、発行数の多い店舗に優先的に広告の発行依頼数を割振ることで、実行される可能性が高い広告の発行依頼を多くすることができ、効率の良い広告の発行が実行できる。
【００１０】
この場合、広告印刷データは、広告の発行依頼主の店舗で使用された時、特典を付加するインセンティブ情報を有するクーポン券を印刷するデータであって、当該広告印刷データは、発行依頼主の依頼店舗コードと、実際にクーポン券の印刷発行をする店舗の発行店舗コードとを含むことが好ましい。
【００１１】
特典を付加するインセンティブ情報を有するクーポン券を受取った顧客が広告依頼主の店舗に誘導された場合、顧客が広告主にシートを提示する可能性が極めて高い。従って、この構成によれば、広告によって広告主の店舗に誘導できた顧客数を、小さい誤差で検出することができる。また、クーポン券の印刷を規定する広告印刷データが発行店舗コードを含むことから、クーポン券に発行店舗コードが印刷され、クーポン券に発行店舗の情報を記録することができる。インセンティブ情報を有するクーポン券は、例えば、商品やサービスを無償や指定の割引料金で提供することを示すクーポンや、広告主の店舗で使用できる金券などである。
【００１２】
この場合、精算処理装置は、少なくとも発行店舗コードを読み取り可能なコード読み取り処理手段を有し、クーポン券が使用された時、発行店舗コードによって、発行店舗毎に使用実績数を算出し、当該使用実績数に応じて優先順位を設定し、当該使用実績数に応じた優先順位に基づいて、次回の印刷発行を依頼する店舗、および発行依頼数を決定することが好ましい。
【００１３】
この構成によれば、使用実績数に対応した印刷発行を依頼する店舗、および発行依頼数が設定される。使用実績数は、概ね顧客が広告によって広告主の店舗に誘導された回数、即ち効果が認められた広告の数となる。例えば、使用実績数の多い店舗の優先順位を高くして、使用実績数の多い店舗に優先的に広告の多数の発行を依頼することで、効果を奏する可能性が高い広告の発行を依頼することができ、効率の良い広告の発行が実行できる。
【００１４】
この場合、精算処理装置は、少なくとも発行店舗コードを読み取り可能なコード読み取り処理手段を有し、クーポン券が使用された時、発行店舗コードによって、発行店舗毎に使用実績数を算出し、且つ発行数の実績に対する当該使用実績数の比である回収率を算出し、当該回収率に応じた優先順位を設定し、当該回収率に応じた優先順位に基づいて、次回の発行を依頼する店舗、および発行依頼数を決定することが好ましい。
【００１５】
この構成によれば、回収率に対応した発行を依頼する店舗、および発行依頼数が設定される。回収率は、発行された広告の数に対する概ね顧客が広告によって広告主の店舗に誘導された回数、即ち発行数に対する効果が認められた割合となり、回収率が高い店舗で発行された広告が効果を奏する可能性が高い。例えば、回収率の高い店舗の優先順位を高くして、回収率の高い店舗に優先的に広告の多数の発行を依頼することで、効果を奏する可能性が高い広告の発行を依頼することができ、効率の良い広告の発行が実行できる。
【００１６】
本発明による広告管理方法は、広告管理サーバと、当該広告管理サーバと相互に通信可能に接続され、一店舗に少なくとも一台づつ設置され、少なくとも一台の精算処理装置を有する複数の店舗情報端末装置とを備える広告管理システムにおいて、任意の一店舗が広告の印刷発行を依頼するために送信した広告依頼情報を他店舗へ配信し、他店舗の精算処理装置から発行されるレシートに広告依頼情報によって規定される広告を印刷させる広告管理方法であって、店舗の中の一店舗である依頼店舗の店舗情報端末装置が、自店舗以外の他の店舗の中の発行店舗の精算処理装置から発行されるレシート上に印刷する広告を規定する広告印刷データと広告条件データとを含む広告依頼情報を生成するステップと、生成した広告依頼情報を送信するステップと、広告管理サーバが、依頼店舗の店舗情報端末装置から送信された広告依頼情報を受信するステップと、広告管理サーバが、受信した広告依頼情報を発行店舗に送信するステップと、発行店舗の店舗情報端末装置が、広告管理サーバが送信した広告依頼情報を受信し、受信した広告依頼情報によって規定される広告を自店舗の精算処理装置から発行されるレシート上に印刷するために、少なくとも広告印刷データを精算処理装置の印刷処理手段に転送するステップと、広告管理サーバが、少なくとも発行店舗へ依頼店舗から広告の印刷発行を依頼した発行依頼数と、当該発行店舗から広告が実際に印刷発行された発行数とを収集し、管理するステップと、店舗情報端末装置が、広告管理サーバから、発行数のデータを取得し、自店舗から依頼した発行依頼数、及び又は、複数の他の店舗の個々の発行数の実績に応じて、次回の広告の発行を依頼する際の店舗それぞれの優先順位を設定し、次回の発行を依頼する店舗を決定する依頼店舗決定ステップと、を有し、広告条件データは、依頼店舗決定ステップで決定された発行を依頼する店舗の情報を含むことを特徴とする。
【００１７】
本発明による広告管理方法によれば、店舗情報端末装置は、広告印刷データと広告条件データとを含む広告依頼情報を生成し、広告管理サーバに生成した広告依頼情報を送信する。広告管理サーバは受信した広告依頼情報を他の店舗情報端末装置に送信する。広告依頼情報を受信した店舗情報端末装置は、広告依頼情報に含まれる広告印刷データを精算処理装置の印刷処理手段に転送し、印刷処理手段が広告印刷データによって規定される広告の印刷を実行する。それと共に、各店舗から実際に広告が印刷発行された発行数が収集され管理される。店舗情報端末装置は、広告管理サーバから実際に印刷発行された発行数のデータを取得し、複数の他の店舗の個々の発行数に応じて、次回の広告の発行を依頼する際の店舗の優先順位を設定し、当該優先順位に従って次回の発行を依頼する店舗を決定する。これにより、次回の広告の発行に際しては、広告の印刷発行の実行回数、即ち広告実施の実績に基づいた、広告の依頼先の選定をすることができる。例えば、発行数の多い店舗の優先順位を高くして、発行数の多い店舗に優先的に広告の発行を依頼することで、実行される可能性が高い広告の発行を依頼することができ、効率の良い広告の発行が実行できる。
【００１８】
この場合、広告管理方法は、広告印刷データが、依頼店舗で使用された時、特典を付加するインセンティブ情報を有するクーポン券を印刷するデータであって、当該広告印刷データは、依頼店舗の依頼店舗コード、発行店舗の発行店舗コードとを含むことが好ましい。
【００１９】
特典を付加するインセンティブ情報を有するクーポン券を受取った顧客が広告依頼主の店舗に誘導された場合、顧客が広告主にシートを提示する可能性が極めて高い。従って、この方法によれば、広告によって広告主の店舗に誘導できた顧客数を、小さい誤差で検出することができる。また、クーポン券の印刷を規定する広告印刷データが発行店舗コードを含むことから、クーポン券に発行店舗コードが印刷され、クーポン券に発行店舗の情報を記録することができる。インセンティブ情報を有するクーポン券は、例えば、商品やサービスを無償や指定の割引料金で提供することを示すクーポンや、広告主の店舗で使用できる金券などである。
【００２０】
この場合、広告管理方法は、依頼店舗においてクーポン券が使用された時、少なくとも発行店舗コードを読み取るステップをさらに有し、依頼店舗決定ステップでは、発行店舗コードによって、発行店舗毎に使用実績数を算出し、当該使用実績数に応じた優先順位を設定し、当該使用実績数に応じた優先順位に基づいて、次回の発行を依頼する店舗、および発行依頼数を決定することが好ましい。
【００２１】
この方法によれば、使用実績数に対応した発行を依頼する店舗、および発行依頼数が設定される。使用実績数は、概ね顧客が広告によって広告主の店舗に誘導された回数、即ち効果が認められた広告の数となる。例えば、使用実績数の多い店舗の優先順位を高くして、使用実績数の多い店舗に優先的に広告の多数の発行を依頼することで、効果を奏する可能性が高い広告の発行を依頼することができ、効率の良い広告の発行が実行できる。
【００２２】
この場合、広告管理方法は、依頼店舗においてクーポン券が使用された時、少なくとも発行店舗コードを読み取るステップをさらに有し、依頼店舗決定ステップでは、発行店舗コードによって、発行店舗毎に発行店舗使用実績数を算出し、且つ発行数の実績に対する当該使用実績数の比である回収率を算出し、当該回収率に応じた優先順位を設定し、当該回収率に応じた優先順位に基づいて、次回の発行を依頼する店舗、および発行依頼数を決定することが好ましい。
【００２３】
この方法によれば、回収率に対応した発行を依頼する店舗、および発行依頼数が設定される。回収率は、発行された広告の数に対する概ね顧客が広告によって広告主の店舗に誘導された回数、即ち発行数に対する効果が認められた割合となり、回収率が高い店舗で発行された広告が効果を奏する可能性が高い。例えば、回収率の高い店舗の優先順位を高くして、回収率の高い店舗に優先的に広告の多数の発行を依頼することで、効果を奏する可能性が高い広告の発行を依頼することができ、効率の良い広告の発行が実行できる。
【００２４】
本発明によるプログラムは、広告管理サーバと、当該広告管理サーバと相互に通信可能に接続され、一店舗に少なくとも一台づつ設置され、少なくとも一台の精算処理装置を有する複数の店舗情報端末装置とを備える広告管理システムの広告管理サーバのコンピュータに、前記請求項に記載の広告管理サーバが実行する各ステップを実行させる。
【００２５】
本発明のプログラムによれば、広告管理サーバを店舗情報端末装置と協動させて、発行数の多い店舗に優先的に広告の発行を依頼することで、実行される可能性が高い広告の発行を依頼すること、使用実績数の多い店舗に優先的に広告の多数の発行を依頼することで、効果を奏する可能性が高い広告の発行を依頼すること、または、回収率の高い店舗に優先的に広告の多数の発行を依頼することで、効果を奏する可能性が高い広告の発行を依頼することができ、効率の良い広告の発行が実行できる。
【００２６】
本発明によるプログラムは、広告管理サーバと、当該広告管理サーバと相互に通信可能に接続され、一店舗に少なくとも一台づつ設置され、少なくとも一台の精算処理装置を有する複数の店舗情報端末装置とを備える広告管理システムの店舗情報端末装置のコンピュータに、前記請求項に記載の店舗情報端末装置が実行する各ステップを実行させる。
【００２７】
本発明のプログラムによれば、店舗情報端末装置を広告管理サーバと協動させて、発行数の多い店舗に優先的に広告の発行を依頼することで、実行される可能性が高い広告の発行を依頼すること、使用実績数の多い店舗に優先的に広告の多数の発行を依頼することで、効果を奏する可能性が高い広告の発行を依頼すること、または、回収率の高い店舗に優先的に広告の多数の発行を依頼することで、効果を奏する可能性が高い広告の発行を依頼することができ、効率の良い広告の発行が実行できる。
【発明を実施するための最良の形態】
【００２８】
以下、本発明に係る広告管理システムの一実施形態について、図面に基づいて、説明する。
【００２９】
図１及び図２は、広告管理システムの概略構成を示す説明図である。図１及び図２に示した広告管理システム１は、図１に詳細に示したウェブサーバシステム１Ａと、図２に詳細に示したゲートウェイサーバシステム１Ｂとで構成されている。図１のウェブサーバシステム１Ａは、各店舗の管理端末６１ａ〜６１ｎと、管理端末６１ａ〜６１ｎからの要求に基づき、広告依頼の登録と承認（広告稼動設定）を行うウェブサーバ１０とで構成されている。図２のゲートウェイサーバシステム１Ｂは、各店舗の精算端末６２ａ〜６２ｎと、広告の稼動設定完了後における、精算端末６２ａ〜６２ｎからの精算情報又は顧客情報等に基づき、当該顧客に広告情報を提供するゲートウェイサーバ２０とで構成されている。
【００３０】
図１及び図２において、ネットワーク６５及び６６は、インターネット、公衆通信網、専用回線（ＶＰＮ等の擬似的なものを含む）、電話回線網等を含むどのような通信網であってもよい。またネットワーク６５とネットワーク６６とは、同一のものであってもよい。さらに、ウェブサーバ１０に直接ゲートウェイサーバ２０が接続されて、バックエンドで所定の処理をする構成でもよい。また、複数のゲートウェイサーバ２０により、ゲートウェイサーバシステム１Ｂの精算端末６２ａ〜６２ｎを分割して受け持ち、分散処理するような構成としてもよいし、各店舗の管理端末６１ａ〜６１ｎ又は精算端末６２ａ〜６２ｎにウェブサーバ１０やゲートウェイサーバ２０の機能を組み込む形態も可能である。また、広告管理システム１を構成する端末装置として、店舗の管理端末６１ａ〜６１ｎ及び店舗の精算端末６２ａ〜６２ｎが存在するが、管理端末装置と精算端末装置とは１台の装置に統合されたものであっても、別々の装置として存在してもよい。ウェブサーバ１０とゲートウェイサーバ２０とが広告管理サーバに相当し、管理端末６１ａ〜６１ｎ及び精算端末６２ａ〜６２ｎが、店舗情報端末装置に相当する。
【００３１】
＜１  広告等の受付けと稼動設定＞
市町村若しくは複数の市町村にまたがる一定範囲の地域（市町村よりも小さな単位、例えば、商店街でも本発明の適用は可能である）の店舗が共同して、本広告管理システムを利用する。すでに存在する地域の会員カードシステムにさらに、本発明の広告管理システムの全部または一部を追加する構成とすることも可能である。
【００３２】
以下の説明においては、広告主となる広告の印刷及び発行を依頼する店舗を「申込店舗」と表記し、広告の印刷及び発行を依頼された店舗（申込店舗から広告の発行を依頼された店舗）を「発行店舗」と表記する。
【００３３】
図１に示したように、管理端末６１ａ〜６１ｎとウェブサーバ１０とは、ネットワーク６５により接続されており、申込店舗による広告等の申込、及び発行店舗による広告等の発行の受諾は、地域の会員の管理端末６１ａ〜６１ｎからウェブサーバ１０をアクセスすることにより行う。管理端末６１ａ〜６１ｎは、特殊なものである必要はなく、ネットワーク６５に接続されており、ウェブサーバ１０にアクセスすることができるコンピュータであればよい。
【００３４】
ウェブサーバ１０は、通信制御部１１、制御部１２、Ｗｅｂページ管理部１３、広告受付処理部１４、広告稼動設定部１５、会員サービス管理部１６、及び管理データベース１７を備えている。通信制御部１１には、ファイアウォール等、インタネットセキュリティ上の各種機能を備えることが好ましい。Ｗｅｂページ管理部１３は、広告受付画面、稼動設定受付画面等の制御を行う。広告受付処理部１４は、広告条件を伴う広告申込を、広告を依頼する店舗（申込店舗）から受付け、広告条件に示された発行店舗となることを要望された各店舗の管理端末６１ａ〜６１ｎに広告条件を提示する。広告稼動設定部１５は、広告条件の提示を受けた管理端末６１ａ〜６１ｎからの当該広告申込を受託するか否かの回答を受付け、回答に応じて稼動設定の登録処理または稼動拒否の登録処理を実行する。会員サービス管理部１６は、共通ポイントの付与等、顧客へのサービス提供及びその管理を行う（ポイント付与等は、ゲートウェイサーバ２０により行うように構成してもよい）。管理データベース１７は、稼動設定された広告等の稼動条件、稼動設定された店舗、広告等の印刷状況等の各種データを記憶する。申込店舗からウェブサーバ１０に広告条件を通知するための情報が、広告依頼情報に相当する。広告申込は、申込店舗からウェブサーバ１０に広告依頼情報を送付すること、即ち広告条件を情報として送信することで実行される。
【００３５】
ウェブサーバ１０は、ネットワーク６５及びネットワーク６６を介してゲートウェイサーバ２０に接続されており、ネットワーク６６には、さらに、精算端末６２ａ〜６２ｎが接続されている。稼動設定された広告等は、速やかにゲートウェイサーバ２０に転送される。これらについては、図２を参照して後述する。
【００３６】
次に、広告設定登録の処理手順について説明する。図３乃至図５に、ウェブサーバ１０による広告設定登録の処理手順の一例を示す。図３は、ウェブサーバにおける設定登録処理の一例を示すフローチャートである。図３に示すように、ウェブサーバ１０の設定登録処理には、申込受付処理ステップ（ステップＳ１００）と稼動設定処理ステップ（ステップＳ１１０）とがある。広告の印刷及び発行を希望する申込店舗の管理端末６１ａ〜６１ｎから、広告申込があると、広告受付処理部１４が、広告申込の受付処理を行う。広告申込において申込店舗（広告主）は、広告等の印刷を依頼する店舗（発行店舗）を指定する。発行店舗の指定がない場合は、後述する発行依頼数の割振処理で決定された発行店舗及び当該発行店舗へ割振られた発行依頼数が有効となる。広告主による指定がなく、発行依頼数の割振処理でも決定されていない場合は、すべての店舗を発行店舗として指定したことになる（ステップＳ１００）。申込みの受付処理が終了すると、申込があったことがウェブサーバ１０上に開示される。これに基づき、広告依頼を受けた店舗は、広告依頼を受諾するかどうかを設定する。広告依頼を受けた店舗からの広告印刷の承諾があると、稼動設定処理が行われる（ステップＳ１１０）。広告受付処理部１４が、広告受付処理手段に相当する。
【００３７】
＜１−１  広告申込の受付＞
次に、図３のステップＳ１００の広告申込の受付について、詳細に説明する。広告宣伝、イベント情報、クーポンなどの印刷及び印刷したシートの発行を依頼する広告申込は、各店舗Ａ〜Ｎの管理責任者が、管理端末６１ａ〜６１ｎから、ウェブサーバ１０にアクセスして行う。各店舗Ａ〜Ｎは管理サービス会社に広告申込処理を依頼することも可能である。広告申込があると、ウェブサーバ１０の広告受付処理部１４は、広告等にＩＤ番号を付し、各種広告条件を登録する。
【００３８】
以下の説明においては、広告等として、単に商品情報やセールの情報を表記する広告を配布する場合や、申込店舗に提示することで何らかの特典が得られる無料クーポン券などを顧客に配布（提供）する場合を含んでいる。申込店舗は申込みの際に、以下に例示するような情報を広告条件として指定する。
（１）広告を発行する対象とする顧客の年齢層、性別などの対象顧客条件。
（２）発行店舗としたい店舗、発行店舗別配布数、配布（発行）時間帯、配布実施期間などの配布条件。
（３）広告の図柄、印刷文字等のデザイン。
対象顧客条件と配布条件とを示すデータが、広告条件データに相当し、広告の図柄、印刷文字等のデザインを示すデータが、広告印刷データに相当する。
【００３９】
図４は、図３のステップＳ１００の申込店舗からの広告申込の受付け処理手順の一例を示すフローチャートである。この処理は、ウェブサーバ１０内の広告受付処理部１４によって実行される。管理端末６１ａ〜６１ｎのいずれかから広告の申込みがあると、ＩＤ番号の照合等の認証作業が実行される（ステップＳ１０１）。次に、上述（１）から（３）として例示した広告条件の中の（１）対象顧客条件及び（２）配布条件の登録を受付ける（ステップＳ１０２）。次に上述（３）の広告のデザインの登録を受付ける（ステップＳ１０３）。次に、受付けされた広告条件を、広告ＩＤ番号とともに管理データベース１７に登録する（ステップＳ１０４）。
【００４０】
＜１−２  稼動設定処理＞
次に、図３のステップＳ１１０の、稼動設定が行われるステップについて説明する。発行店舗として指定された店舗（広告依頼を受けた店舗）により、広告依頼を受諾するかどうかの設定が行われる。当該設定も管理端末６１ａ〜６１ｎを用いて、管理担当者またはサービス代行業者により行われ、稼動設定処理は、広告稼動設定部１５により行われる。
【００４１】
図５は、図３のステップＳ１１０の、広告依頼を受けた店舗からの広告印刷発行の承諾を受けて、稼動設定処理が行われる処理の一例を示すフローチャートである。会員の店舗からウェブページへのアクセス要求があり、所定のＩＤ等が入力されるとウェブサーバ１０へのログインが認められる（ステップＳ１１１）。次に、ログインした当該店舗に対して広告印刷の依頼のある（発行店舗として指定されている）広告一覧リストが、広告ＩＤ番号及び広告条件情報、広告のデザインとともに、ログインした当該店舗の管理端末６１ａ〜６１ｎに送信される（ステップＳ１１２）。
【００４２】
管理端末６１ａ〜６１ｎでは、受信した当該店舗に依頼された広告リストが、広告ＩＤ番号及び広告条件とともに表示装置に表示され、管理担当者により確認される。管理担当者は、広告条件を確認した後、自店舗で依頼された広告を印刷して顧客に手渡すか否かを決定し、決定結果を認否情報としてウェブサーバ１０に送信する。ウェブサーバ１０は、当該認否情報を受信する（ステップＳ１１３）。複数の広告についての依頼が存在する場合には、すべての広告について、認否情報を受信したか否かを判定する（ステップＳ１１４）。すべての広告について、認否情報を受信していない場合（ステップＳ１１４でＮＯ）は、すべての広告について、認否情報を受信するまで、認否情報を受信する。
【００４３】
すべての広告について、認否情報を受信した場合（ステップＳ１１４でＹＥＳ）は、承諾のあった広告等について稼動設定の登録をする（ステップＳ１１５）。稼動設定された広告等の広告依頼情報（広告ＩＤ番号、広告条件等）は、その後速やかにゲートウェイサーバ２０に転送される（ステップＳ１１６）。これらの広告依頼情報をゲートウェイサーバ２０に転送するのは、実際の稼動に当たり、広告等の発行条件の判定をウェブサーバ１０に行わせると、ウェブサーバ１０にアクセスが集中し、負荷が増えて処理速度の低下等が懸念されるからであり、これらの点が問題なければ、ゲートウェイサーバ２０の機能を全てウェブサーバ１０に持たせるように構成しても良い。
【００４４】
＜２  広告等の発行処理＞
次に発行店舗における広告等の発行処理について説明する。広告等の発行は、各店舗の精算端末６２ａ〜６２ｎとゲートウェイサーバ２０により行われる。図２に、ゲートウェイサーバシステム１Ｂを構成する精算端末６２ａ〜６２ｎとゲートウェイサーバ２０との接続形態及びゲートウェイサーバ２０の概略構成を例示している。
【００４５】
＜２−１  ゲートウェイサーバの構成例＞
ゲートウェイサーバ２０は、通信制御部２１、制御部２２、広告判定部２３、広告出力部２４、会員サービス提供部２５、広告データ集計部２６、及び広告データベース２７を備えている。
【００４６】
広告判定部２３は、精算端末６２ａ〜６２ｎから顧客情報等を受信したときに、広告条件を満たす広告が存在するかどうかを判定する。対応する広告が存在する場合には、広告出力部２４により、当該広告の内容をその発行店舗に送信する。会員サービス提供部２５は、顧客に共通ポイント等を付与する。広告データ集計部２６は、広告発行情報の集計、クーポン利用情報の集計等を行う。広告データベース２７は、広告条件、広告データ集計部２６が集計した広告発行情報の集計結果やクーポン利用情報の集計結果等の広告集計データ、共通ポイント情報等を検索可能に記憶している。前述した管理データベース１７と、広告データベース２７とが、管理データベースに相当する。
【００４７】
＜２−２  精算端末の構成例及びその精算処理＞
次に、各店舗の精算端末６２ａ〜６２ｎの構成について説明する。図６は、精算端末の機能ブロック図である。精算端末６２ａは、例えば、ＰＯＳ端末装置７０、及び複数のＰＯＳ端末装置７０を管理するＰＯＳサーバ８０を備えている。ＰＯＳ端末装置７０は、ＰＯＳサーバ８０を備えていない単独の装置であってもよく、また、ＰＯＳ機能を備えていない精算レジスタであってもよい。ただし、外部のネットワーク６６に接続されて、データ通信を行う機能を有していること及びレシートプリンタ等のプリンタ８５が接続されていることが必要である。また、バーコードスキャナ８６、会員カードを読み取るカード読取装置８７を備えていることが望ましい。精算端末６２ａが、複数のＰＯＳ端末装置７０及びＰＯＳサーバ８０である場合のＰＯＳ端末装置７０が、精算処理装置に相当する。精算端末６２ａが単独のＰＯＳ端末装置７０である場合のＰＯＳ端末装置７０が、店舗情報端末装置及び精算処理装置に相当する。プリンタ８５が印刷処理手段に相当する。
【００４８】
ＰＯＳ端末装置７０は、ＰＯＳ端末装置７０全体の動作を制御する制御部７１、ＰＯＳサーバ８０とデータ通信を行う内部通信部７２、顧客の購入商品の精算処理を行う精算処理部７３、スキャナ制御部７４、印刷制御部７５、ゲートウェイサーバ２０から受信した広告依頼情報に基づき広告を印刷する広告発行部７６、ゲートウェイサーバ２０とデータ通信を行う外部通信部７７、及びプリンタ８５などとのデータの送受信を行う周辺機器通信部７８、を備えている。
【００４９】
顧客が会員カード、及び購入商品を提示すると、カード読取装置８７でカード情報を読み取られ、バーコードスキャナ８６により購入商品に印刷されているバーコードを介して商品情報を読み取られる。読み取られた商品情報は、精算処理部７３により処理され、購入商品の名前、金額、購入合計金額等が算出される。
【００５０】
購入商品情報、精算情報、顧客情報は、外部通信部７７を介してリアルタイムでゲートウェイサーバ２０に送信される。顧客情報は、会員カードから特定される会員情報のほか、必要に応じて精算レジ担当者が、会員情報を補足する情報を、ＯＬＥ＿ＬＩＮＫ１キーボード（図示省略）等を介してＯＬＥ＿ＬＩＮＫ１入力する。会員以外の顧客の場合も、精算レジ担当者が顧客情報をキーボード（図示省略）等の入力装置を介して入力する。ゲートウェイサーバ２０から広告依頼情報を受信すると、広告発行部７６は広告依頼情報を印刷制御部７５に送出する。印刷制御部７５は、プリンタ８５に、受信した広告依頼情報によって規定される印刷をレシート９０等に実行させる。広告依頼情報の印刷は、レシート９０の精算情報の下にイベント情報等の所定の情報を印刷するものである場合、またはレシート９０とは別にクーポンを発行するものである場合等がある。広告の内容としては、例えば、特売情報などのイベント情報、割引クーポン、商品引き換えクーポン、新商品（新メニュー）の紹介などがある。広告発行部７６が第１の広告情報処理手段に相当する。
【００５１】
尚、例えばクーポン印刷等のイメージデータのデータ通信には、通信時間がかかるので、予めゲートウェイサーバ２０から発行店舗で印刷するイメージデータを受信してＰＯＳ端末装置７０内に記憶しておくように構成することも可能である。また、ゲートウェイサーバ２０との通信は、ＰＯＳサーバ８０を介して行うように構成することも可能である。
【００５２】
また、ＰＯＳ端末装置７０は、コード読取処理部８１、優先順位決定部８２、広告依頼部８３、広告依頼入力装置８４も備えている。コード読取処理部８１は、広告主の店舗に提示されたクーポンなどの広告に併せて印刷された、申込店舗の店舗コードである依頼店舗コードの情報、発行店舗の店舗コードである発行店舗コードの情報などを含む広告管理情報を読み取り、ゲートウェイサーバ２０に送信する。優先順位決定部８２は、上述した広告データベース２７に記憶された広告発行情報などから、発行依頼先とする店舗に優先順位をつける。広告管理情報、広告発行情報、及び優先順位をつける工程については後述する。ＰＯＳ端末装置７０の管理者が広告主となる場合には、広告依頼入力装置８４を介して、印刷及び発行したい広告の広告条件を入力する。広告条件が入力されると、広告依頼部８３が当該広告条件をゲートウェイサーバ２０を介して、ウェブサーバ１０に送信する。このとき、広告依頼部８３は、優先順位決定部８２が決定した店舗の優先順位に従って、発行依頼先とする店舗及び発行依頼数を決定し、上述した広告条件の、「発行店舗としたい店舗」及び「発行店舗別配布数」とする。コード読取処理部８１、優先順位決定部８２、広告依頼部８３、広告依頼入力装置８４も備えることで、ＰＯＳ端末装置７０は、各店舗の管理端末６１ａ〜６１ｎの機能も実現する。広告依頼部８３が、第２の広告情報処理手段に相当する。
【００５３】
＜２−３  ゲートウェイサーバによる処理手順＞
次に、ゲートウェイサーバ２０が実行する広告発行に関連する各処理について説明する。図７は、ゲートウェイサーバの基本処理手順の一例を示すフローチャートである。精算端末６２ａ〜６２ｎからの情報に基づく広告発行処理（ステップＳ２００）、顧客に対する共通ポイントの付与等の処理（ステップＳ２１０）、及び広告集計記録処理（ステップＳ２２０）が基本的な処理内容である。これらの処理の順番は、特にこの順番で処理することが必須であるわけではなく、処理の順番を入れ替えることは可能である。図８乃至１０を用いてこれらの各処理手順について説明する。
【００５４】
＜２−３−１  広告発行処理手順＞
次に、ステップＳ２００のゲートウェイサーバ２０の広告発行処理の処理手順について説明する。図８は、ゲートウェイサーバの広告発行処理の処理手順の一例を示すフローチャートである。精算端末６２ａ〜６２ｎのいずれかから接続要求があると、接続を受付ける（ステップＳ２０１）。次に、広告判定部２３は、接続を受付けた例えば精算端末６２ａからネットワーク６６を介して送信されてくる精算する顧客の顧客情報及び精算情報を受信する（ステップＳ２０２）。次に、広告判定部２３は当該店舗が発行店舗として指定されている広告を検索し、その中で受信した顧客情報及び精算情報が広告条件と合致するものを検索する（ステップＳ２０３）。次に、受信した顧客情報及び精算情報と広告条件が合致する広告の有無、即ち接続を受付けた例えば精算端末６２ａから発行するべき広告依頼情報の有無を判定する（ステップＳ２０４）。合致する広告がない場合には（ステップＳ２０４でＮＯ）、広告発行は行わずに広告発行処理工程を終了する。合致する広告がある場合には（ステップＳ２０４でＹＥＳ）、合致する広告の広告依頼情報を、接続を受付けた例えば精算端末６２ａに送信する（ステップＳ２０５）。ステップＳ２０５を実行して、広告発行処理工程を終了する。なお、広告の広告依頼情報が送信されると、広告依頼情報を受信した精算端末では広告の印刷発行が実行されるため、広告依頼情報の送信の実行は、広告の印刷発行の実行となる。
【００５５】
広告条件が受信した顧客情報及び精算情報と合致するものを検索（ステップＳ２０３）した結果、条件の合致する広告が複数存在するときには、条件の合致度の高い上位の広告を数件（２件くらいが好ましい）を選択して、その広告依頼情報だけを、接続を受付けた例えば精算端末６２ａに送信するのが好ましい。一人の顧客に一度に多くの広告を渡すと、広告宣伝の効果が希釈化されて顧客の興味を分散させ、または喪失させてしまう恐れがある。従って、一人の顧客に同時に発行する広告の数は、ある程度限定することが望ましい。また、条件の合致する広告が複数存在する場合には、興味のある情報を顧客に選択させるよう構成することも可能である。
【００５６】
＜２−３−２  ポイント付与処理手順＞
次に、ステップＳ２１０のゲートウェイサーバ２０のポイント付与処理の処理手順について、図９を用いて説明する。図９は、ゲートウェイサーバのポイント付与処理の処理手順の一例を示すフローチャートである。まず、顧客情報が送られてきた顧客が会員か否かを確認する（ステップＳ２１１）。会員でなければ（ステップＳ２１１でＮＯ）、ポイントは付与されることなく、ポイント付与処理を終了する。
【００５７】
顧客が会員であった場合（ステップＳ２１１でＹＥＳ）には、クーポン使用による商品購入か否かを確認する（ステップＳ２１２）。クーポン使用でない場合（ステップＳ２１２でＮＯ）は、通常ポイントを算出して付与する（ステップＳ２１３）。クーポン使用の場合には（ステップＳ２１２でＹＥＳ）、クーポン使用に対して特別ポイントを算出して付与する（ステップＳ２１４）。
【００５８】
このように、クーポン使用に対しても共通ポイントを付与することにより、クーポン使用の意欲を増幅することができ、誘引効果を高めることができる。特別ポイントは任意に設定可能である。また、特別ポイントと通常ポイントを区別することなく、共通ポイントを付与する場合には、クーポン使用による商品購入か否かを確認する（ステップＳ２１２）工程は不要である。
【００５９】
次に、算出した通常ポイント又は特別ポイントを広告データベース２７に登録する（ステップＳ２１５）。この際、付与されるポイント数及び累計ポイント数等を会員カードに記録する場合には、これらのデータを、接続を受付けた例えば精算端末６２ａに送信する。
【００６０】
尚、このような会員サービスの提供は、ウェブサーバ１０により実行する構成としてもよいし、あるいはＰＯＳ端末装置７０、あるいはＰＯＳサーバ８０において実行する構成としてもよい。
【００６１】
＜２−３−３  広告発行情報及び広告管理情報読取データの記録処理＞
次に、図１０に基づいて、広告データの記録処理である広告発行情報及び広告管理情報読取データの集計及び記録の処理手順（図７ステップＳ２２０）について説明する。図１０は、広告発行情報及び広告管理情報読取データの集計処理手順を示すフローチャートである。
【００６２】
顧客が他店舗または自店舗で発行した広告（以下、「発行済広告」と表記する）を持参してきたかどうかを確認する（ステップＳ２２１）。顧客が広告主の店舗（申込店舗）に発行済広告を持参してきた場合には、コード読取処理部８１によって、広告主の店舗に提示された発行済広告に併せて印刷された、広告ＩＤ、依頼店舗コードの情報、発行店舗コードなどを含む広告管理情報が読み取られ、ゲートウェイサーバ２０に送信される。当該広告管理情報を読取ったという情報を受信することで、顧客が発行済広告を持参してきたと判定する。
【００６３】
顧客が発行済広告を持参していない場合には（ステップＳ２２１でＮＯ）、上記した広告発行処理を実行し、通常の登録処理として、ここで広告発行を実行した発行店舗や実行した広告に関する情報を広告データベース２７に記録する。さらに、実行した発行店舗や実行した広告が同一である広告発行の実行回数を広告データ集計部２６が集計するとともに、広告ＩＤ、発行店舗コード、広告発行の実行回数情報を含む広告発行情報を広告データベース２７が記憶する（ステップＳ２２２）。広告発行の実行回数が、発行数に相当する。
【００６４】
顧客が発行済広告を持参してきた場合には（ステップＳ２２１でＹＥＳ）、発行済広告の広告管理情報（広告ＩＤ、発行店舗名、発行時期等情報）を、当該申込店舗からリアルタイムで受信する（ステップＳ２２３）。これらの発行済広告の広告管理情報は、広告データベース２７に登録される。さらに、広告データ集計部２６が、同一の広告管理情報の読取回数を集計するとともに、広告管理情報と当該広告管理情報の読取回数情報とを含む広告管理情報読取データを広告データベース２７が記憶する（ステップＳ２２４）。読取回数が、顧客が発行済広告を申込店舗に持参した件数であり、使用実績数に相当する。顧客に対して精算処理が実行される場合には、上記したステップＳ２２２を実行して、広告発行情報及び広告管理情報読取データの記録処理を終了する。
【００６５】
広告管理情報は、発行店舗において広告を印刷する際に、クーポン券、広告等を印刷した印刷物（レシートに印刷されたものを含む）上に、広告ＩＤ番号、広告発行店舗を特定する店舗ＩＤ番号（発行店舗コード）、及び商品バーコードと区別可能な専用の先頭数字を含む特殊なバーコードを印刷することで、広告等を印刷した印刷物に記録する。これにより、発行済広告（印刷物）が申込店舗に持ち込まれたとき、精算端末６２ａ〜６２ｎにおいて特殊バーコードを読み取るだけで、広告管理情報を取得することが可能となる。従って、図１０に示したステップＳ２２３の処理を短時間で効率的に行うことが可能となる。
【００６６】
＜３  発行依頼数の割振処理＞
次に、広告発行情報及び広告管理情報読取データから、発行店舗に発行依頼数を割振る処理の一例について、図１１及び図１２に基づいて説明する。発行依頼数の割振りは、優先順位決定部８２が、広告データベース２７に記憶された広告発行情報及び広告管理情報読取データから店舗毎の優先順位を決定し、広告依頼部８３が、当該優先順位に従って、発行依頼先とする店舗、及び当該発行依頼先店舗それぞれへの発行依頼数を決定する。
【００６７】
図１１は、発行依頼数を決定する処理の一例を示すフローチャートである。図１２（ａ）は、発行数と回収数の関係を示す模式図であり、図１２（ｂ）は、回収率の算出例を示す模式図であり、図１２（ｃ）は、発行数順位の算出例を示す模式図であり、図１２（ｄ）は、発行依頼数の計算式の一例である。
【００６８】
ゲートウェイサーバ２０の広告データベース２７に記憶された広告発行情報及び広告管理情報読取データは、所定の集計期間、例えば１週間毎に集計され、ゲートウェイサーバ２０から申込店舗の管理端末であるＰＯＳ端末装置７０に送信される。広告発行情報に含まれる広告依頼情報の発行回数が、図８を参照して説明したように広告の発行数であり、図１２（ａ）に示した発行数である。広告管理情報読取データに含まれる広告管理情報の読取回数が、図１０を参照して説明したように、顧客が発行済広告を申込店舗に持参した件数であり、図１２（ａ）に示した回収数である。回収数が、使用実績数に相当する。
【００６９】
なお、発行数の集計期間と回収数の集計期間とは、発行店舗で広告を受取った顧客が申込店舗に赴き当該広告を提示するまでの時間経過を考慮して、例えば１週間程度ずらすことが好ましい。また、集計期間が定まっていることによる影響を抑制するためには、所定の集計期間での集計を数回実施したところで、集計結果を初期化して、全ての店舗に均等に発行依頼することも有効である。集計期間が１週間であれば、例えば２ヶ月毎に初期化する。
【００７０】
図１１に示したように、ＰＯＳ端末装置７０は、広告申込をする際に広告条件を設定するに当って、現在の広告発行情報、広告管理情報読取データ、及び今回広告申込を行う広告が、前回の広告申込時と同じか否かを判定する（ステップＳ２５１）。同じか否かの判定は、予め変動幅許容値を設定し、許容値を超えない範囲の違いは同じと判定する。許容値は発行数や集計期間などを考慮して適宜定める。例えば、全く同じでなければ同じでないとしてもよい。勿論、具体的な印刷内容は、異なっていても同じと判定する。
【００７１】
現在の広告発行情報、広告管理情報読取データ、及び今回広告申込を行う広告が、前回の広告申込時と同じである場合（ステップＳ２５１でＹＥＳ）は、メモリ（図６では図示省略）から前回の設定のデータを取得する（ステップＳ２５２）。設定には、広告の発行を依頼する店舗と、当該店舗に依頼する発行数とが含まれる。次に、取得した設定データを今回広告申込をする広告の設定として保存する（ステップＳ２５３）。
【００７２】
次に、今回の設定をウェブサーバ１０に登録する（ステップＳ２５４）。即ち、今回の設定を含む広告条件を送信することで広告申込を行う。
【００７３】
現在の広告発行情報、広告管理情報読取データ、及び今回広告申込を行う広告が、前回の広告申込時と同じでない場合（ステップＳ２５１でＮＯ）は、今回広告条件を設定する広告が、単に商品情報やセールの情報を表記する広告（以降、「単純広告」と表記する）であるか、申込店舗に提示することで何らかの特典が得られるクーポンであるかを判定する（ステップＳ２５５）。クーポンであれば、受取った顧客が当該クーポンを使用するときに、申込店舗に提示される。このとき、上述したように、当該クーポンにクーポンの情報と共に印刷された広告管理情報を読み取ることで、広告管理情報読取データが得られる。従って、クーポンの場合には回収数のデータが存在する。一方、単に商品情報やセールの情報を表記する単純広告の場合には、申込店舗に提示される可能性は殆どないため、回収数のデータを含む広告管理情報読取データは存在しない。
【００７４】
当該データの広告が、クーポンである場合（ステップＳ２５５でクーポン）は、優先順位を、発行数に基づいて決定するか、発行数に対する回収数の割合である回収率に基づいて決定するかを判定する（ステップＳ２５６）。なお、発行数に基づいて決定するか、回収率に基づいて決定するかは、各クーポン毎に予め指定して広告条件の要件の一つとして記憶しておく。
【００７５】
優先順位を回収率に基づいて決定することが指定されている場合（ステップＳ２５６で回収率）は、回収率に応じた重み付けを算出する（ステップＳ２５７）。より詳細には、図１２（ｂ）に示したように、回収率を算出し、算出した回収率から、回収率の順位と回収率のランクとを決定する。回収率、回収率の順位、又は回収率ランクが、店舗の優先順位に相当する。
【００７６】
ステップＳ２５５で広告が単純広告であった場合（ステップＳ２５５で単純広告）と、優先順位を発行数に基づいて決定することが指定されている場合（ステップＳ２５６で発行数）は、発行数に応じた重み付けを算出する（ステップＳ２５８）。より詳細には、図１２（ｃ）に示したように、発行数から、発行数の順位と発行数のランクとを決定する。発行数の順位、又は発行数ランクが、店舗の「優先順位」に相当する。
【００７７】
次に、今回の広告の予定されている発行総数が、前回の発行総数から変更されているか否かを判定する（ステップＳ２５９）。
【００７８】
予定されている発行総数が、前回の発行総数から変更されていない場合（ステップＳ２５９でＮＯ）は、前回の発行総数のデータを取得し、当該発行総数を、優先順位を適用して割振るべき総数とする（ステップＳ２６１）。発行総数が、前回の発行総数から変更されている場合（ステップＳ２５９でＹＥＳ）は、新たな発行総数のデータを取得し、当該発行総数を、優先順位を適用して割振るべき総数とする（ステップＳ２６０）。
【００７９】
次に、ステップＳ２５７又はステップＳ２５８で算出した重み付けに基づいて、店舗毎の割当発行数を決定する（ステップＳ２６２）。より詳細には、回収率に基づいて各店舗毎の発行割当数（発行依頼数）を決定する場合には、図１２（ｄ）に示したように、総数５００枚を各店舗の回収率で按分して、各店舗毎の発行割当数（発行依頼数）を決定する。ａ，ｂ，ｃ，ｄ，ｅ，ｆは、それぞれＡ店、Ｂ店、Ｃ店、Ｄ店、Ｅ店、Ｆ店の回収率である。
【００８０】
また、発行数に基づいて各店舗毎の発行割当数（発行依頼数）を決定する場合には、実際に発行された総数に占める各店舗の発行数の割合を、予定の発行総数に乗じて、各店舗毎の発行割当数（発行依頼数）を決定する。
【００８１】
また、回収率順位や発行数順位の順位ごとに、予定発行総数に対する発行依頼数割合を予め定めておき、予定発行総数に各店舗の順位に対応する発行依頼数割合を乗じて、各店舗毎の発行割当数（発行依頼数）を決定する。
【００８２】
次に、決定した各店舗毎の発行割当数を今回の設定として保存する（ステップＳ２６３）。
【００８３】
次に、今回の設定をウェブサーバ１０に登録する。即ち、今回の設定を含む広告条件を送信することで広告申込を行う（ステップＳ２６４）。ステップＳ２６４を実行して、発行店舗に発行依頼数を割振る処理を終了する。
【００８４】
次に、特殊バーコードについて、図１３に基づいて説明する。図１３（ａ）は、特殊バーコードの外観を示すイメージ図であり、図１３（ｂ）は、当該特殊バーコードの各数字の意味を示す表である。先頭数字２９は、特殊コードであることを示し、次の３桁で発行店舗ＩＤ番号を指定し、次の２桁で広告ＩＤ番号を指定する。特殊バーコードの桁数や値、内容は、これらに限らず、申込店舗が必要とする他の情報が含まれていてもよい。また、２次元コードでもよい。
【００８５】
互いに広告の発行を依頼するにあたっては、広告の発行に伴って、申込店舗から発行店舗に発行手数料を支払うことが好ましい。発行手数料は、一枚あたりの手数料を一律に定めても良いし、回収率や発行数に応じて定めても良い。また、図１２（ｂ）又は（ｃ）に記載した、回収率又は発行数のランク毎に発行手数料を定め、各店舗のランクに対応する発行手数料を支払ってもよい。
【００８６】
以上、説明したとおり、本発明の広告管理システム１によれば、広告受付処理部１４が受け付け処理した広告依頼情報が、発行店舗装置に指定された精算端末６２ａ〜６２ｎのいずれかに送信され、プリンタ８５によって広告依頼情報によって規定される画像が印刷されて、広告の印刷が実行される。それと共に、送信した広告依頼情報と、当該広告依頼情報の送信先である精算端末６２ａ〜６２ｎのいずれかと、当該店舗管理端末６１ａ〜６１ｎのいずれかへの当該広告依頼情報の送信回数と、を含む広告発行情報が広告データベース２７に記録される。広告依頼情報が送信されると、即ち、精算端末６２ａ〜６２ｎのいずれかが広告依頼情報を受信すると、広告の印刷を実行するため、広告依頼情報の送信回数が、広告の印刷の実行回数となる。また、広告依頼情報によって規定される画像に加えて、当該画像を規定する広告依頼情報を示す広告情報判別コード、及び当該印刷を実行した精算端末６２ａ〜６２ｎを示す店舗装置判別コードである発行店舗コード、を含む広告管理情報がレシート９０に印刷される。広告主店舗の精算端末６２ａ〜６２ｎのコード読取処理部８１が広告管理情報を読取ることで、何れの発行店舗装置によって印刷及び発行された広告が広告主の店舗に至ったか、即ち何れの精算端末６２ａ〜６２ｎによって広告が印刷されたレシートを受取った顧客が広告主の店舗に誘導されたかを検出することができる。この検出回数を含む広告管理情報読取データ及び上記した広告依頼情報の送信回数に基づいて、優先順位決定部８２が店舗のそれぞれに、発行依頼先として指定する際の「優先順位」を決定することから、広告の印刷の実行回数、又は広告による顧客の誘導実績に基づいた、広告の発行依頼を行い、効率の良い広告の発行をすることができる。
【００８７】
また、広告主は、発行したい広告を、広告依頼入力装置８４を介して広告管理システム１に入力すると、広告管理システム１が、広告の印刷の実行回数、又は広告による顧客の誘導実績に基づいた、効率の良い広告の発行を実行する。このため、広告主は、広告の発行や回収の実績の集計などの煩わしい作業をすることなく、広告の印刷の実行回数、又は広告による顧客の誘導実績に基づいた、効率の良い広告の発行を実行することができる。
【００８８】
以上、添付図面を参照しながら本発明に係る好適な実施形態について説明したが、本発明の実施形態は、前記各実施形態に限定されるものではなく、本発明の要旨を逸脱しない範囲内において種々変更を加え得ることは勿論であり、以下のように実施することもできる。
【００８９】
（変形例１）前記実施形態においては、回収率や発行数に基づいて各店舗の順位を決定する場合について説明したが、回収数に基づいて各店舗の順位を決定してもよい。回収数が、使用実績数に相当する。
【００９０】
（変形例２）前記実施形態においては、各店舗毎の発行割当数（発行依頼数）を決定していたが、発行割当数を決定することは必須ではない。回収率や発行数に基準値を設定し、回収率又は発行数が基準値を超えた店舗にのみ、発行数を指定することなく、発行を依頼する方法でもよい。
【００９１】
（変形例３）前記実施形態においては、発行依頼数の総数を定めて依頼する例について説明したが、発行依頼数の総数を定めることは必須ではない。例えば、上記変形例１のように、発行数を指定することなく、発行を依頼してもよい。また、図１２（ｂ）又は（ｃ）に記載した、回収率又は発行数のランク毎に発行依頼数を定め、各店舗のランクに対応する発行数を依頼し、発行依頼数の総数は、各店舗への発行依頼数の合計で決まるようにしてもよい。
【００９２】
（変形例４）前記実施形態においては、広告の発行を依頼する店舗及び当該店舗に依頼する発行割当数の設定を変更したときに、既に管理データベース１７に記憶されており発行が実行されている広告の広告条件の書換えを実行していた（ステップＳ２６４参照）が、既に実行されている広告の広告条件の書換えは必須ではない。例えば、発行数が少ない広告や、発行を実行する期間が短い広告においては、途中で広告条件の設定を変更しても、残りの発行数や、発行実行期間が僅かで、設定変更の効果が期待できない可能性が高い。
【００９３】
（変形例５）前記実施形態においては、広告受付処理部１４が広告条件を管理端末６１ａ〜６１ｎに提示し、管理端末６１ａ〜６１ｎからの当該広告申込を受託するか否かの回答を受付けて、回答に応じた稼動設定または稼動拒否の登録処理を実行していたが、広告申込を受託するか否かの確認をとることは必須ではない。広告申込がなされることで、当該広告申込の広告条件で発行店舗に指定された店舗の精算端末６２ａ〜６２ｎは、当該広告の発行を実行する構成でもよい。
【図面の簡単な説明】
【００９４】
【図１】本発明の広告管理システムの概略構成を示す説明図。
【図２】本発明の広告管理システムの概略構成を示す説明図。
【図３】ウェブサーバにおける設定登録処理の一例を示すフローチャート。
【図４】申込店舗からの広告申込の受付け処理手順の一例を示すフローチャート。
【図５】広告発行の承諾を受けて、稼動設定処理が行われる処理の一例を示すフローチャート。
【図６】精算端末の機能ブロック図。
【図７】ゲートウェイサーバの基本処理手順の一例を示すフローチャート。
【図８】ゲートウェイサーバの広告発行処理の処理手順の一例を示すフローチャート。
【図９】ゲートウェイサーバのポイント付与処理の処理手順の一例を示すフローチャート。
【図１０】広告発行情報及び広告管理情報読取データの集計処理手順を示すフローチャート。
【図１１】発行依頼数を決定する処理の一例を示すフローチャート。
【図１２】（ａ）発行数と回収数の関係を示す模式図。（ｂ）回収率の算出例を示す模式図。（ｃ）発行数順位の算出例を示す模式図。（ｄ）発行依頼数の計算式の一例を示す図。
【図１３】（ａ）特殊バーコードの外観を示すイメージ図。（ｂ）当該特殊バーコードの各数字の意味を示す表。
【符号の説明】
【００９５】
１…広告管理システム、１Ａ…ウェブサーバシステム、１Ｂ…ゲートウェイサーバシステム、１０…ウェブサーバ、１１…通信制御部、１２…制御部、１４…広告受付処理部、１５…広告稼動設定部、１７…管理データベース、２０…ゲートウェイサーバ、２１…通信制御部、２２…制御部、２３…広告判定部、２４…広告出力部、２６…広告データ集計部、２７…広告データベース、６１ａ，６１ｎ…管理端末、６２ａ，６２ｎ…精算端末、６５，６６…ネットワーク、７０…ＰＯＳ端末装置、７１…制御部、７２…内部通信部、７３…精算処理部、７５…印刷制御部、７６…広告発行部、７７…外部通信部、７８…周辺機器通信部、８０…ＰＯＳサーバ、８１…コード読取処理部、８２…優先順位決定部、８３…広告依頼部、８４…広告依頼入力装置、８５…プリンタ。
【図１】
2007087116.tif 000003
【図２】
2007087116.tif 000004
【図３】
2007087116.tif 000005
【図４】
2007087116.tif 000006
【図５】
2007087116.tif 000007
【図６】
2007087116.tif 000008
【図７】
2007087116.tif 000009
【図８】
2007087116.tif 000010
【図９】
2007087116.tif 000011
【図１０】
2007087116.tif 000012
【図１１】
2007087116.tif 000013
【図１２】
2007087116.tif 000014
【図１３】
2007087116.tif 000015